(57)【特許請求の範囲】
【請求項１】
室内の温度及び湿度の値に基づき前記室内に設けられた加熱器及び加湿器を制御し前記室内を所定温度に制御する恒温恒湿装置において、
プログラム番号、ステップ、設定温度、設定湿度、設定運転時間を表示する手段と、
前記設定温度、設定湿度、設定運転時間を入力する手段と、
前記設定温度、設定湿度、設定運転時間を入力する毎にそれぞれの入力可能な下限値及び上限値を表示する手段とを備え、
前記設定温度、設定湿度、設定運転時間の入力は、設定温度、設定湿度、設定運転時間の順に行われ、
温度の入力範囲は冷却能力、加熱能力から決定され、温度の設定値に応じて湿度入力範囲が制限され、さらに、温度と湿度の設定値に応じて運転時間の入力範囲が制限されることを特徴とする恒温恒湿装置。
【請求項２】
請求項１に記載のものにおいて、前記設定温度、設定湿度、設定運転時間の繰り返しの内容を示す繰り返しモードを表示し、前記繰り返しモードに応じて繰り返し元、繰り返し先の入力範囲を算出して表示することを特徴とする恒温恒湿装置。
【発明の詳細な説明】
【０００１】
【発明の属する技術分野】
本発明は、電子部品等の被試験物に対して任意の温度湿度条件を与えることによって耐久性等の試験を行なう恒温恒湿装置に関し、特に、温度、湿度、運転時間等の運転データを装置に入力する恒温恒湿装置に好適である。
【０００２】
【従来の技術】
従来の恒温恒湿装置は、運転を開始する前に、オペレータが試験するための必要な条件として、温度、湿度、試験時間を手動で入力している。また、試験条件を運転中に変化させるために、前記の温度、湿度、試験時間を１つのブロックとして複数個ステップ単位として入力することにより、試験条件をステップ毎に変化させることが知られ、例えば特開平３−９６７３１号公報に記載されている。
【０００３】
この従来技術による恒温恒湿装置の表示部と操作部は図１で示すように、温度表示部１、湿度表示部２、時間表示部３、ステップ表示部４、繰返し数表示部５とから構成され、７セグメントのＬＥＤによるディジタル数字で表示している。そして、操作スイッチ６、７は恒温恒湿装置の運転温度、湿度、時間の設定値入力と運転司令（運転、停止、点検、警報解除等）を行なう。
【０００４】
【発明が解決しようとする課題】
上記従来技術による恒温恒湿装置は、温度、湿度、時間ステップ数、繰返し数の表示が数字のみで、ステップ単位のデータしか表示できず、運転時間に渡ってデータ全体が判らない為、理解しにくい欠点があった。
【０００５】
また、データを入力する時にオペレータが繰り返しモードなどの運転状態を考慮して判断して行なわなければならないので、各種設定を正確に行うためにオペレータに大きな負担がかかっていた。さらに、設定を誤った場合は、試験時間が長くなって試験効率が著しく悪くなるだけでなく、着霜がひどくなったり、保護装置が動作して運転を停止する等の問題があった。
【０００６】
本発明の目的は、上記従来技術の問題を解決し、温度、湿度、試験時間等の入力データをオペレータが判断することを必要とせず、オペレータの負担を大幅に軽減できる恒温恒湿装置を提供する。
【０００７】
【課題を解決するための手段】
上記課題を解決するため本発明は、室内の温度及び湿度の値に基づき前記室内に設けられた加熱器及び加湿器を制御し前記室内を所定温度に制御する恒温恒湿装置において、プログラム番号、ステップ、設定温度、設定湿度、設定運転時間を表示する手段と、前記設定温度、設定湿度、設定運転時間を入力する手段と、前記設定温度、設定湿度、設定運転時間を入力する毎にそれぞれの入力可能な下限値及び上限値を表示する手段とを備え、前記設定温度、設定湿度、設定運転時間の入力は、設定温度、設定湿度、設定運転時間の順に行われ、温度の入力範囲は冷却能力、加熱能力から決定され、温度の設定値に応じて湿度入力範囲が制限され、さらに、温度と湿度の設定値に応じて運転時間の入力範囲が制限されるものである。
【０００８】
これにより、設定温度、設定湿度、設定運転時間を入力する毎にその値が妥当であるかないかをオペレータが判断する必要がなく、自動的に入力範囲が表示されるので、オペレータの負担が大幅に軽減される。また、設定の誤りをなくすることができるのみならず、設定温度湿度の入力値により、運転時間の入力範囲を制限することも可能となり、着霜による運転トラブル等も防止可能となる。
【００１０】
さらに、本発明は、上記のものにおいて、前記設定温度、設定湿度、設定運転時間の繰り返しの内容を示す繰り返しモードを表示し、前記繰り返しモードに応じて繰り返し元、繰り返し先の入力範囲を算出して表示することが望ましい。
【００１１】
これにより、温度の入力範囲は、冷却能力、加熱能力から決定される範囲の値が適切に選択され、湿度、運転時間は、この温度の値に対して可能な範囲がオペレータの負担なしに選択される。
【００１２】
【発明の実施の形態】
以下、本発明の実施の形態について図２ないし図５を参照して説明する。図２は、一実施の形態の恒温恒湿装置の構成を示すブロック図である。図３は、データ入力画面を示す正面図、図４は、繰り返しデータを入力するグラフィック画面を示す正面図、図５は、繰り返しデータの入力範囲を求める計算式を示す表である。
【００１３】
恒温恒湿装置本体８は、冷凍サイクルを構成する蒸発器９及び加熱器１０、加湿器１１を収容した調温調湿室で、設定された温湿度に調温調湿して、試験室１２内の雰囲気温度を任意の温湿度に保ち、その試験室内の試料についての耐久試験をする装置である。
恒温恒湿装置は、温度、湿度、試験時間等を設定手段として、タッチパネル等を具備した液晶表示器１３と、コントローラ１４とで形成している。なおコントローラ１４は温湿度制御、運転時間の管理を含めて、恒温恒湿装置８全体の運転制御を行なう。
【００１４】
液晶表示器１３は、プログラム番号、そのステップ、温度、湿度、運転時間等の運転データを入力する液晶表示器で、マイクロコンピュータを内蔵している。液晶表示器１３とコントローラ１４のインターフェースについては、シリアル伝送（ＲＳ−２３２Ｃ通信）を用いてコントローラ１４をホストとして、定期的にデータの送受信を行なう。
【００１５】
図３は、データ入力画面を示したもので、この画面で、最初にプログラム番号１５にカーソルキーが自動的に移り、画面の下部に入力範囲を１〜４５の表示（下限値２０、上限値２１）をする。この入力範囲は、装置のメモリ容量で決定される固定値の為、この値は液晶表示器１３の働きで表示する。
ここで、オペレータが任意の数値を入力手段２２によって入力すると、液晶表示器１３からコントローラ１４に対して割込み出力が発生し、プログラム番号に相当するデータをコントローラ１４から液晶表示器１３に送信し、液晶表示器１３に表示すると同時に、液晶表示器１３はカーソルキーを自動的に温度（設定温度１７）に移す。この時、液晶表示器１３はコントローラ１４に温度の入力範囲の要求信号を出す。コントローラ１４は要求信号を解析して、装置の冷却、加熱能力に応じて、温度の下限値と上限値を液晶表示器１３に送信して画面表示する。
【００１６】
設定湿度１８についても同様に、すでに入力された温度の値に応じて、湿度制御可能かどうかをコントローラ１４で判断して、湿度制御ができない場合は０、可能な場合は０〜９８を液晶表示器１３に送信する。
試験時間（運転時間１９）も同様にすでに入力された温度、湿度の値に応じて入力範囲を液晶表示器に送信している。
【００１７】
以上の様に温度、湿度、時間の順にデータを入力し、入力された値に応じて、入力範囲をコントローラ１４により自動設定し、液晶表示器１３は入力範囲外のデータは受付けしない（入力できない）様にガードする。
つまり、この恒温恒湿装置は、温度の設定値に応じて、湿度、運転時間の入力範囲に制限を設けている。すなわち、温度の入力範囲は装置の持って冷却能力、加熱能力から決定し、例えば−４０℃〜１５０℃と表示する。
【００１８】
ここで、−１０℃が入力されると、湿度の入力範囲は０にし、湿度の値は、温度の入力値が１０〜８５℃の時に、０〜９８％ＲＨの湿度の設定ができるように入力範囲を制限して表示する。
時間についても、霜付きが発生しやすい低温低湿条件では、０〜８時間の入力範囲、温度４０℃以上では０〜１０００時間の入力範囲とする。
【００１９】
次に繰返しの入力について図４、図５を参照して説明する。図４は繰返しモード，繰返し元，繰返し先を入力する画面で、繰返し内容をグラフィック表示している。繰返しモードをこのグラフィック表示より選択すると、図５で示した計算式で繰返し元、繰返し先の入力範囲を算出する。
【００２０】
また繰返しの入力については、繰返しの内容をグラフィック表示し、繰返しモードに応じて、戻り元ステップ、戻り先ステップの値を演算して、入力範囲を表示する。よって、入力範囲外の入力は受付しないため設定誤りは発生しなくなる。
【００２１】
以上の様に、入力範囲を各設定項目毎に順を追って自動表示するのでオペレータの負担を大幅に軽減される。また入力範囲外の値は入力できない為、設定誤りもなくなる。数表表示、グラフィック表示することでオペレータは操作方法も覚える必要がなく、簡単に入力できる。
【００２２】
【発明の効果】
以上説明したように本発明によれば、温度、湿度、試験時間等全ての入力項目に対して、入力しようとしている項目に対して、入力範囲を自動表示することができるので、温度、湿度、試験時間等の入力データをオペレータが判断することを必要とせず、オペレータの負担を大幅に軽減できる恒温恒湿装置を得ることができる。
【００２３】
また、本発明によれば、温度の入力範囲は、冷却能力、加熱能力から決定される範囲の値が適切に選択され、湿度、運転時間は、この温度の値に対して可能な範囲がオペレータの負担なしに選択され恒温恒湿装置を最適な設定の下で実行することができる。よって、設定した温度湿度に到達できずに試験が停滞することもなくなるので、恒温恒湿装置の効率的な運転が可能となる。
【図面の簡単な説明】
【図１】  従来例の恒温恒湿装置の表示部と操作部を示す正面図。
【図２】  一実施の形態の恒温恒湿装置の構成を示すブロック図。
【図３】  図２に示す恒温恒湿装置におけるデータ入力画面を示す正面図。
【図４】  繰返しデータを入力するグラフィック画面を示す正面図。
【図５】  繰返しデータの入力範囲を求める計算式を示す表。
【符号の説明】
８…恒温恒湿装置本体、９…蒸発器、１０…加熱器、１１…加湿器、１２…試験室、１３…液晶表示器、１４…コントローラ、１５…プログラム番号、１６…ステップ、１７…設定温度、１８…設定湿度、１９…運転時間、２０…下限値、２１…上限値、２２…入力手段。
【図１】
0003716066.tif 000002
【図２】
0003716066.tif 000003
【図３】
0003716066.tif 000004
【図４】
0003716066.tif 000005
【図５】
0003716066.tif 000006